(57)【要約】      （修正有）【課題】治療時の操作を簡便にする治療支援装置を提供する。【解決手段】ＭＲＩ装置２により撮像された患者６の３次元画像データが格納された映像記録装置８から３次元画像データを読み出してナビゲーション画像４０を生成し、患者６の病変部に治療を施す超音波プローブ１２と、超音波プローブ１２の位置及び姿勢を検出する位置検出装置１４と、ナビゲーション画像４０を含む治療支援情報を表示する治療支援装置において、超音波プローブ１２のパラメータを治療前、治療時、治療後の施術状況に対応させて予め設定し、ナビゲーション画像４０上で設定された治療対象領域５４と、位置検出装置１４により検出された超音波プローブ１２の位置及び姿勢に基づいて施術位置５０を求め、施術位置５０と治療対象領域５４との距離に応じて施術状況を判定し、設定されたパラメータに合わせて、超音波プローブ１２のパラメータを変更する動作条件変更手段を備える。【選択図】図１
2010269067.tif 000002
【特許請求の範囲】
【請求項１】
医療用画像装置により撮像された被検体の３次元画像データが格納されたメモリと、該メモリから前記３次元画像データを読み出してナビゲーション画像を生成するナビゲーション画像処理装置と、前記被検体の病変部に治療を施す治療デバイスと、前記被検体に対する前記治療デバイスの位置及び姿勢を検出する３次元位置検出装置と、前記ナビゲーション画像を含む治療支援情報を表示する画像表示装置と、前記ナビゲーション画像処理装置と前記治療デバイスを制御する治療支援制御装置を備えてなる治療支援装置において、
前記治療支援制御装置は、
前記治療デバイスの動作条件を治療前、治療時、治療後の施術状況に対応させて予め設定する動作条件設定手段と、
前記画像表示装置に表示されるナビゲーション画像上で設定された治療対象領域を前記メモリの３次元画像データに登録する治療対象領域登録手段と、
前記３次元位置検出装置により検出された前記治療デバイスの位置及び姿勢に基づいて前記治療デバイスの施術位置を求めて、前記ナビゲーション画像上に表示する位置検出手段と、
前記施術位置と前記治療対象領域との距離に応じて前記施術状況を判定し、前記動作条件設定手段により設定された動作条件に合わせて、前記治療デバイスの動作条件を変更する動作条件変更手段とを備えてなることを特徴とする治療支援装置。
【請求項２】
請求項１に記載の治療支援装置において、
前記治療デバイスは超音波治療用プローブであり、前記被検体の断層像を撮像する超音波診断用プローブと一体に形成され、前記超音波治療用プローブを駆動する治療用超音波送信手段と、前記超音波診断用プローブを駆動する診断用超音波送信手段と、前記断層像に基づいて前記被検体の生体組織の変性を検出する変性検出手段とを有し、前記動作条件変更手段は、前記施術状況に応じて、前記治療用超音波送信手段が停止した際に、前記診断用超音波送信手段と前記変性検出手段とを起動することを特徴とする治療支援装置。
【請求項３】
請求項１に記載の治療支援装置において、
前記治療デバイスは、穿刺針又は放射線治療デバイスであることを特徴とする治療支援装置。
【請求項４】
請求項１乃至３のいずれか１項に記載の治療支援装置において、
前記動作条件変更手段は、前記施術状況に応じて前記ナビゲーション画像の解像度を変更することを特徴とする治療支援装置。
【請求項５】
請求項４に記載の治療支援装置において、
前記動作条件変更手段は、前記治療デバイスの位置及び姿勢に応じて前記ナビゲーション画像を変更することを特徴とする治療支援装置。
【発明の詳細な説明】
【技術分野】
【０００１】
本発明は、磁気共鳴撮像装置（以下、ＭＲＩ装置という）、超音波装置、Ｘ線ＣＴ装置等の医療用画像装置を用いた治療支援装置に関する。
【背景技術】
【０００２】
ＭＲＩ装置は、連続的に被検体中の水素や燐等の原子核からの磁気共鳴信号（以下、ＮＭＲ信号という）を測定し、核の密度分布や緩和時間分布等を映像化するものである。ＭＲＩ装置を用いた心臓イメージングや、手術時の穿刺モニタリング、経皮的治療などに使用されるＩ−ＭＲＩ装置（ｉｎｔｅｒｖｅｎｔｉｏｎａｌ−ＭＲＩ装置、又は、Ｉｎｔｒａｏｐｅｒａｔｉｖｅ−ＭＲＩ装置）では、リアルタイムで撮像する断層面を任意に設定したいという要望がある。
【０００３】
撮像する断層面を任意に選択する手法として、モニタにＭＲＩ画像を表示し、画面上のボタンをマウスでクリックして、撮像する断層面を決定する方法があるが、撮像する断層面の位置や向きをマウスなどの入力手段で調整、設定しなければならず操作が煩雑となる。ＭＲＩ装置としては、より簡便に撮像する断層面の位置や向きを調整、設定できることが望ましい。その手法として、特許文献１には、治療具（以下、治療デバイスという）の先端部にポインタを設け、３次元位置検出装置にてポインタの位置を検出し、これに基づいて、断層面の位置や向きを自動的に調整する技術が記載されている。
【０００４】
一方、３次元位置検出装置と、予めＭＲＩ装置によって撮像した３次元のデータである撮像したボリュームデータから生成される断層画像を用いた３Ｄ手術ナビゲーションシステム（以下、治療支援装置という）がある。この治療支援装置は、治療時にポインタにより指定される位置を、当該位置を含む患者の直交３平面それぞれを断面とする断層画像上に表示することにより治療時の操作をナビゲーションするものであり、脳神経外科手術などの高精度の外科手術に適用されている。例えば、特許文献２には、Ｉ−ＭＲＩ装置と治療支援装置を組み合わせた技術について記載されている。
【０００５】
また、特許文献３には、治療支援装置に用いられる治療デバイスとして、集束超音波を用いた治療用プローブを用いた治療支援装置が記載されている。治療用プローブからは、集束超音波を被検体の病変部に照射され、一回の照射時間は数秒間であり、複数の部位を治療する場合には、十数秒間の間隔を設ける。治療効果は、超音波照射により組織が熱凝固する温度以上に加熱されることにより得られると考えられている。
【先行技術文献】
【特許文献】
【０００６】
【特許文献１】ＷＯ０３／０２６５０５Ａ１
【特許文献２】特開２００３−１９０１１７号公報
【特許文献３】ＵＳＰ５６７６６９２号公報
【発明の概要】
【発明が解決しようとする課題】
【０００７】
しかし、従来の治療支援装置では、治療デバイスとＭＲＩ装置等の医療用画像装置の連係がとれておらず、ボリュームデータから生成される断層画像を用いての治療は、操作が煩雑になることが多く、操作の誤りを招く可能性があった。また、例えば、治療デバイスが治療用プローブの場合、対象となる深度に応じて出力、焦点位置等の動作条件を変更しなければならないことから、治療を中断して動作条件変更を行う必要があった。
【０００８】
本発明が解決しようとする課題は、治療時の操作を簡便にする治療支援装置を提供することにある。
【課題を解決するための手段】
【０００９】
上記課題を解決するため、本発明の治療支援装置は、医療用画像装置により撮像された被検体の３次元画像データが格納されたメモリと、該メモリから３次元画像データを読み出してナビゲーション画像を生成するナビゲーション画像処理装置と、被検体の病変部に治療を施す治療デバイスと、被検体に対する治療デバイスの位置及び姿勢を検出する３次元位置検出装置と、ナビゲーション画像を含む治療支援情報を表示する画像表示装置と、ナビゲーション画像処理装置と治療デバイスを制御する治療支援制御装置を備えてなる治療支援装置において、治療支援制御装置は、治療デバイスの動作条件を治療前、治療時、治療後の施術状況に対応させて予め設定する動作条件設定手段と、画像表示装置に表示されるナビゲーション画像上で設定された治療対象領域をメモリの３次元画像データに登録する治療対象領域登録手段と、３次元位置検出装置により検出された治療デバイスの位置及び姿勢に基づいて治療デバイスの施術位置を求めて、ナビゲーション画像上に表示する位置検出手段と、施術位置と治療対象領域との距離に応じて施術状況を判定し、動作条件設定手段により設定された動作条件に合わせて、治療デバイスの動作条件を変更する動作条件変更手段とを備えてなることを特徴とする。
【００１０】
本発明によれば、例えば、動作条件設定手段で、治療デバイスの施術位置が病変部が存在する治療対象領域内にあるときに、その動作条件が治療に最適な動作条件となるように予め設定しておけば、施術位置が治療対象領域内に入ったときに治療デバイスの動作条件が自動的に治療に最適な動作条件に変更されるので、治療時に動作条件を設定する手間が省ける。また、誤って治療に不適切な動作条件に設定してしまうことがない。
【００１１】
さらに、動作条件設定手段で、治療前（施術位置が治療対象領域外にあるとき）は、治療デバイスが動作しないように設定しておけば、治療に関係のない領域で誤って動作することを防げる。このようにして、予め設定した動作条件を施術状況に応じて変化させて最適な治療環境を作るとともに治療時間を短縮することができ、患者への負担を低減することができる。なお、施術位置とは、治療デバイスが施術を行う箇所のことであり、治療デバイスが超音波治療用プローブなら、集束超音波の集束点であり、穿刺針なら針の先端である。
【００１２】
この場合において、治療デバイスは超音波治療用プローブであり、被検体の断層像を撮像する超音波診断用プローブと一体に形成され、超音波治療用プローブを駆動する治療用超音波送信手段と、超音波診断用プローブを駆動する診断用超音波送信手段と、断層像に基づいて被検体の生体組織の変性を検出する変性検出手段とを有し、動作条件変更手段は、施術状況に応じて、治療用超音波送信手段が停止した際に、診断用超音波送信手段と変性検出手段とを起動するように構成することもできる。
【００１３】
これにより、治療時に超音波治療用プローブを停止させると自動で超音波診断用プローブが起動して断層像を撮像し、断層像に基づいて変性領域を求められるので、操作の手間が省ける。また、治療前と治療後の断層像を撮像することにより治療効果を確認することができ、さらに、変性領域をナビゲーション画像に重ねることにより、視認しやすくなる。断層撮影時の超音波診断用プローブの動作条件も治療デバイスと同様に自動で最適な動作条件に変更されるように予め設定しておくことが好ましい。
【００１４】
また、治療デバイスを、穿刺針又は放射線治療デバイスとすることもできる。
【００１５】
また、動作条件変更手段を、施術状況に応じてナビゲーション画像の解像度を変更するように構成することもできる。また、例えば、ＭＲＩ装置によるナビゲーション画像は通常はＴ１強調が好ましいが、治療時にはＴ２強調が好ましいので、ＭＲＩ装置でリアルタイムで撮影している際の治療時に、ナビゲーション画像をＴ２強調とした治療用画像に変更するように構成することもできる。
【００１６】
また、動作条件変更手段を、治療デバイスの位置及び姿勢に応じて治療用画像を変更するように構成することもできる。これにより、例えば、治療デバイスの向いている方向の画像を表示することで、施術がし易くなる。
【発明の効果】
【００１７】
本発明によれば、治療時の操作を簡便にする治療支援装置を提供することができる。
【図面の簡単な説明】
【００１８】
【図１】本発明の治療支援装置の構成図である。
【図２】本発明で用いる超音波プローブの構成図である。
【図３】本発明で用いるナビゲーション画像構成の一例である。
【図４】モニタに表示される治療準備時の画面構成の一例である。
【図５】パラメータの説明について使用する図である。
【図６】深度と周波数、出力との関係を示すグラフである。
【図７】モニタに表示される治療前の画面構成の一例である。
【図８】モニタに表示される治療時の画面構成の一例である。
【図９】実施例２におけるパソコンに表示される治療時の画面構成の一例である。
【発明を実施するための形態】
【００１９】
以下、本発明の治療支援装置について、図面を参照して説明する。
【実施例１】
【００２０】
図１は、実施例１の治療支援装置の構成図である。患者６は手術台１７に固定されており、操作者２６は治療デバイス（本実施例では、超音波プローブ１２）を用いて患部の治療を行う。本実施例の治療支援装置は、ＭＲＩ装置２と、ＭＲＩ装置２を制御する制御装置４と、ＭＲＩ装置２により撮像された患者６の３次元画像データを格納する映像記録装置８と、ナビゲーション画像を含む治療支援情報を表示するモニタ１０と、超音波プローブ１２と、患者６に対する超音波プローブ１２の位置及び姿勢を検出する位置検出装置１４と、超音波プローブ１２を駆動する治療用超音波送信手段及び診断用超音波送信手段を備えた超音波装置１６と、パソコン１８とを備えて構成されている。
【００２１】
また、本実施例の超音波装置１６は、映像記録装置８から３次元画像データを読み出してナビゲーション画像を生成するナビゲーション画像処理手段と、ナビゲーション画像処理手段と超音波プローブ１２を制御する制御手段とを備えている。
【００２２】
ＭＲＩ装置２は、垂直な静磁場を発生させる上部磁石３と下部磁石５と、これらの磁石を連結するとともに上部磁石３を支持する支柱７と、位置検出装置１４を支持するアーム９と、上部磁石３に連結され、アーム９と操作者用モニタ１１を支持するモニタ支持部１３と、基準ツール１５と、手術台１７とを含んで構成されている。
【００２３】
ＭＲＩ装置２の図示しない傾斜磁場発生部は、領斜磁場をパルス的に発生させる。さらに、静磁場中の患者６に核磁気共鳴を生じさせるための図示しないＲＦ送信器、患者６からの核磁気共鳴信号を受信する図示しないＲＦ受信器を備えており、これらは共振型コイルである。
【００２４】
位置検出装置１４は、２台の赤外線カメラ２０と、赤外線を発光する図示しない発光ダイオードを含んで構成され、操作者２６が把持する超音波プローブ１２に取り付けられた断層面指示デバイスであるポインタ２２により超音波プローブ１２の位置及び姿勢を検出する。また、位置検出装置１４は、アーム９により移動可能に上部磁石３に連結され、図１に示すように、ＭＲＩ装置２に対する配置を適宜変更することができるように構成されている。
【００２５】
基準ツール１５は、赤外線カメラ２０の座標系とＭＲＩ装置２の座標系をリンクさせるもので、３つの反射球２４を備え、上部磁石３の側面に設けられている。制御装置４は、ワークステーションで構成され、パソコン１８と、映像記録装置８とに接続され、また、図示しないＲＦ送信器、ＲＦ受信器などを制御する。
【００２６】
パソコン１８には、赤外線カメラ２０が検出したポインタ２２の情報が超音波プローブ１２の位置データとして、例えば、ＲＳ２３２Ｃケーブル３３を介して送信される。パソコン１８は、赤外線カメラ２０が検出したポインタ２２の位置から超音波プローブ１２の位置を算出し、超音波装置１６に送信するとともに、ＭＲＩ装置２で利用可能な位置データに変換し、制御装置４へ送信する。位置データは、撮像シーケンスの撮像断面へ反映される。
【００２７】
新たな撮像断面で取得された画像はモニタ１０に表示される。ＭＲＩ装置２と超音波装置１６の装置間の連結情報は操作者用モニタ１１上に表示される。また、取得された画像は映像記録装置８に同時記録される。その他、生体情報に同期した計測をすることも可能であり、患者６に取り付けられた同期計測装置２８にて各種情報（脈波、心電、呼吸）を取得することができる。
【００２８】
ここで、超音波プローブ１２について、図２を用いて説明する。超音波プローブ１２は、治療・診断一体型のプローブである。診断用コンベックス型超音波プローブ３０は放射状の超音波３１を発するのに対して、収束超音波プローブ３２は、ある点３３に収束するように照射３５が行われる。本実施例では、収束超音波中心部に診断用プローブを取り付け、超音波診断装置３６と治療用ジェネレータ・アンプ３８を備えた治療・診断一体型のプローブを用いる。
【００２９】
図３に、本システムで用いられるナビゲーション画像４０を示す。ナビゲーション画像４０は、実空間４２において、ＭＲＩ装置２により予め撮像された患者６の３次元画像データを、所望の断面で切断した断面図から生成される。本実施例では、３軸断面画像４６の他にボリュームレンダリング画像４８を用いる。
【００３０】
位置検出装置１４に取り付けられた赤外線カメラ２０にてポインタ２２の位置から検出された超音波プローブ１２の位置及び施術位置５０は、ナビゲーション画像４０にそれぞれ重畳表示される。なお、施術位置５０は、超音波プローブ１２の超音波の集束位置である。また、ナビゲーション画像４０には、後述する警告領域５２と治療対象領域５４が重畳表示される。
【００３１】
ここで、本実施例の特徴となる構成と動作を説明する。図４には、治療前にモニタ１０に表示される画像が示されている。モニタ１０には、治療開始までの手順を示すフローチャート５６と、ナビゲーション画像４０と、フローチャート５６の各ステップ時に表示される作業詳細メッセージ５８と、各ステップで使用する３Ｄ撮像ボタン６０、治療対象領域描出ボタン６２、パラメータ設定ボタン６４、レジストレーションボタン６６、治療デバイス登録ボタン６８とが表示されている。この画面を用いて手術開始までの準備を行う。
【００３２】
まず、フローチャート５６において、３Ｄ撮像ボタン６０を用いて３Ｄボリューム撮像を行う（ステップ１）。撮像した３次元画像データは、映像記録装置８に記録されるとともに、ナビゲーション画像４０として３軸断面画像４６及びボリュームレンダリング表示４８される。次に、治療対象領域描出ボタン６２を押下し、３Ｄ画像から治療対象領域５４（セグメンテーション）をボリューム検出して治療対象領域５４を３Ｄ画像に登録する（ステップ２）。
【００３３】
治療対象領域５４とは、施術すべき病変部である。また、ステップ２では、治療対象領域５４の周辺に警告領域５２を設定することもできる。警告領域５２とは、この領域に施術位置５０が進入すると、後述する治療モードになる領域である。
【００３４】
次に、パラメータ設定ボタン６４を押下して、通常（治療前）パラメータ設定（ステップ３）及び治療時のパラメータ設定（ステップ４）を行う。ここで、図５を参照して、パラメータの設定、変更について説明する。患者６に対する超音波プローブ１２の位置Ａ、Ｂの場合について説明する。位置Ａ、Ｂでは、超音波プローブ１２の角度、位置及び方向が異なっている。位置Ａの超音波画像７０は治療対象領域７２を描出しており、プローブ位置Ｂの超音波画像７４は治療対象領域７６を描出している。また、超音波装置１６は、焦点位置自動変更機能８０と距離に伴う周波数自動変更機能を備えている。
【００３５】
位置Ａの超音波プローブ１２の施術位置５０と登録された治療対象領域７２の距離は、３次元画像データに基づいてリアルタイムに計算されて超音波装置１６にフィードバックされており、超音波装置１６は距離から治療前、治療時、治療後の施術状況を判定する。施術位置５０が治療対象領域７２に近付いている場合は治療前と判定し、治療対象領域７２内にある場合は、治療時と判定し、遠ざかっている場合は治療後と判定する。
【００３６】
パラメータの設定は、超音波装置１６のパラメータ設定手段によって行われる。パラメータは、治療前、治療時、治療後についてそれぞれ設定される。パラメータ（動作条件）とは、超音波プローブ１２の鮮明な画像を得るために最適な周波数、深度、角度、フレームレート等のことである。
【００３７】
例えば、高周波及び低周波の生体内深度における周波数と出力強度の関係は、図６に示すように、深度が深くなるにつれて周波数８２は低くなり、出力８４が増大する設定になっている。これらのパラメータ設定は、操作者２６が予め設定しておくことが可能である。
【００３８】
さらに、ナビゲーション画像４０を各施術状況に合わせて設定しておく。例えば、治療時にナビゲーション画像４０を治療用画像に設定する。治療用画像は、通常のナビゲーション画像４０を拡大し、解像度を上げた画像であり、超音波プローブ１２の位置及び姿勢に応じて治療を行いやすいように変更されるように設定される。
【００３９】
一方、パラメータ設定は治療目的の他に、患者の安全性確保（治療対象領域外監視、生体モニタ異常監視、血管等のアクセス禁止領域等の警告）を目的とした使用することも可能である。予め設定した値（生体異常上限等）を越えた場合には、モニタ１０に警告を表示し音声にて警告を発する。
【００４０】
次に、実空間と画像のレジストレーションボタン６６及び使用する治療デバイスの登録ボタン６８を押下し（ステップ５）、手術前の作業が終了となる。最後に手術機器・装置を起動し（ステップ６）、手術が開始される。治療対象領域５４は、ナビゲーション画像４０だけでなく、絶対（装置）座標８６上にも重畳表示することができ、また、各ステップでは、作業詳細メッセージ５８を表示して、次の作業内容をアシスト又は警告する機能を有している。
【００４１】
なお、超音波装置１６は、周波数設定や深度の自動設定オン・オフや治療対象領域５４の表示・非表示の設定を行うことができる。一方、ナビゲーション画像４０については、画像の選択や治療対象領域５４の複数個設定、治療デバイス表示方法、色別表示方法や警告方法の設定がある。これらは操作者２６が自由に設定でき、どのタイミングで表示方法を変更するかのタイミングも設定できる。
【００４２】
図７に、通常モード時（施術位置５０が警告領域５２外にあるとき）のモニタ１０に表示される画面を示す。図７には、超音波画像９０と、各情報９２と、ナビゲーション画像４０と、通常モード時に使用するＰｌａｎｎｉｎｇボタン９４、生体情報ボタン９６、超音波画像ボタン９８、ナビゲーション画像ボタン１００、パラメータ変更ボタン１０２、画像情報変更ボタン１０４、治療開始ボタン１０６とが表示されている。
【００４３】
ナビゲーション画像４０は超音波プローブ１２の位置に応じてが更新される。操作者２６は必要に応じて、Ｐｌａｎｎｉｎｇ９４を用いて手術経路を作成（補正）しながら、生体情報ボタン９６、超音波画像ボタン９８やナビゲーション画像ボタン１００を用いて画像誘導を行う。各情報９２には、脈、呼吸等の生体情報や治療デバイス等の情報の詳細が表示されており、超音波画像９０には、深度や周波数等の各種パラメータも表示されている。ナビゲーション画像４０は、３軸断面画像４６の他にボリュームレンダリング画像４８が表示され、超音波プローブ１２の位置及び施術位置５０、警告領域５２が重畳表示されている。
【００４４】
３軸断面画像４６の中心は、一般的に施術位置５０に設定されているが、超音波プローブ１２や施術位置５０を表示させることも可能である。その他、パラメータ変更ボタン１０２を押下することで、事前に設定したパラメータ群を一括変更することができ、押下する毎にリアルタイムに変更することが可能である。ナビゲーション画像４０もＭＲＩ画像やＣＴ画像を予め登録しておくことで、画像情報変更ボタン１０４を押下するだけで変更が可能である。治療モードへは、警告領域５２内に施術位置５０が入った瞬間に移行されるが、治療開始ボタン１０６を押下することで、強制的に治療モードへ移行することもできる。
【００４５】
図８に、治療モード時にモニタ１０に表示される画面を示す。図８には、超音波画像９１，９３と、各情報９２と、パラメータ一覧９５と、ナビゲーション画像４０と、治療時に使用するプランニング（Ｐｌａｎｎｉｎｇ）ボタン９４、生体情報ボタン９６、超音波画像ボタン９８、ナビゲーション画像ボタン１００、治療開始ボタン１０６、診断パラメータ設定ボタン１０８、治療パラメータ設定ボタン１１０、画像情報ボタン１１２、治療経過ボタン１１４、ログボタン１１６とが表示されている。
【００４６】
治療モード時では、超音波装置１６に組み込まれたパラメータ変更手段が、図４で設定されたパラメータに合わせて、超音波プローブ１２のパラメータを変更し、ナビゲーション画像４０を、治療用画像１２２，１２４，１２６に変更する。
【００４７】
また、治療モードでは、超音波プローブ１２での治療を一時停止した際に、超音波画像９１，９３を撮像できるようになっている。これにより、治療時の領域１１８と残治療領域１２０が分かる。また、超音波画像に基づいて検出された変性領域をナビゲーション画像４０に重ねることもできる。
【００４８】
変性領域は、超音波装置１６の変性検出手段によって検出される。変性検出手段は、治療超音波が照射されることによって上昇した病変部の温度を検出し、検出した温度をそれぞれ輝度に変換して超音波画像上に表示する。なお、変性領域は、ＭＲＩ装置２で撮影したＴ２強調画像により検出することもできる。
【００４９】
操作者２６は、必要に応じてプランニング（Ｐｌａｎｎｉｎｇ）ボタン９４を用いて手術経路を作成（補正）しながら、生体情報ボタン９６、超音波画像ボタン９８やナビゲーション画像ボタン１００を用いて画像誘導を行う。各情報９２は、生体情報や治療デバイス等の情報の詳細が表示されており、超音波画像は、治療前の超音波画像９１、治療時（リアルタイム）の超音波画像９３がそれぞれ表示されており、深度や周波数等の各種パラメータと、治療時の領域１１８と残治療領域１２０が分かる。また、超音波プローブ１２が移動した場合には自動追随機能が働き、周波数や深度が最適なパラメータが自動変更されるようになっている。
【００５０】
ナビゲーション画像４０は、３軸断面画像４６の他にボリュームレンダリング画像４８が表示され、超音波プローブ１２の位置及び施術位置５０を画像上に重畳表示することができる。
【００５１】
パラメータは手動で適宜変更することができ、設定状況はパラメータ一覧９５で表示することが可能である。治療開始ボタン１０６に連動して画像情報ボタン１１２、治療経過ボタン１１４、ログボタン１１６がオンとなるが、必要に応じて手動でオフとすることもできる。
【００５２】
この機能により、治療前情報と治療時情報とその差分情報（治療経過情報、残治療領域等）が画像情報として表示される。また、ログ情報は、過去に行った治療経過内容を見直すために使用される。治療前後の情報は超音波画像９１，９３と、３軸断面画像４６とボリュームレンダリング画像４８の他に、数値データとして表示することもできる。
【００５３】
以上説明したように、本実施例によれば、パラメータ設定で、超音波プローブ１２の施術位置５０が病変部が存在する治療対象領域５４内にあるときに、そのパラメータが治療に最適なパラメータとなるように予め設定しておけば、施術位置５０が治療対象領域５４内に入ったときに超音波プローブ１２のパラメータが自動的に治療に最適なパラメータに変更されるので、治療時にパラメータを設定する手間が省ける。また、誤って治療に不適切なパラメータに設定してしまうことがない。
【００５４】
さらに、パラメータ設定で、治療前は、超音波プローブ１２が動作しないように設定しておけば、治療に関係のない領域で誤って動作することを防げる。本実施例により、予め設定したパラメータを施術状況に応じて変化させて最適な治療環境を作るとともに治療時間を短縮することができ、患者への負担を低減することができる。
【００５５】
また、治療時に超音波プローブ１２の治療用プローブを停止させると自動で診断用プローブが起動して超音波画像を撮像し、断層像に基づいて変性領域を求められるので、操作の手間が省ける。また、治療前と治療後の超音波画像９１，９３を撮像することにより治療効果を確認することができ、さらに、変性領域をナビゲーション画像４０に重ねることにより、視認しやすくなる。
【実施例２】
【００５６】
実施例２について、図９を参照して説明する。実施例１と異なる点は、実施例２では、超音波プローブ１２に代えて穿刺針１３０を用いており、病変部への直接穿刺と針先端部１３６からの直接治療を行う。実施例１の超音波装置１６で行った図４におけるパラメータ設定、パラメータ変更等はパソコン１８で行うようになっている。
【００５７】
図９は、治療モード時にパソコン１８に表示される画面であり、図８との相違点としては、穿刺直後画像１３２と、治療中画像１３４の表示である。これらは、ＭＲＩ装置２で撮影される。また、治療前の画像はＴ１強調画像であり、治療時の画像はＴ２強調画像となるように設定されている。
【００５８】
図９では、治療対象領域５４への穿刺を行い、穿刺針１３０の先端１３６から温熱療法にて経過をモニタリングしている様子を示している。ナビゲーション画像４０は、ボリューム画像更新毎に治療経過の差分画像が表示できる機能を有している。例えば、ポインタ２２を穿刺針１３０に取り付け、穿刺針１３０のある位置を常に撮像断面とするように構成した場合、パソコン１８には穿刺針１３０を常に含む断面が表示されることになる。
【００５９】
以上説明したように、本実施例によれば、治療デバイスとして穿刺針１３０を適用することができる。
【００６０】
以上、実施例１，２について説明したが、本発明は、これらに限らず適宜構成を変更して適用することができる。例えば、パラメータ設定の際の場合分けについて、治療前と治療時と治療後としたが、さらに詳細な場合分けをして複数の条件毎に画像情報や機器稼働条件を設定するようにしてもよい。
【００６１】
また、ナビゲーション画像処理手段、ナビゲーション画像処理手段と超音波プローブ１２を制御する制御手段、パラメータ設定、パラメータ変更手段等は、超音波装置１６に設けても、パソコン１８に設けてもよい。
【００６２】
画面の構成については、図４，７乃至９の構成に限られず、モニタ１０、操作者用モニタ１１、パソコン１８のいずれにも表示するようにしてもよい。
【００６３】
実施例１では、超音波プローブ１２として治療・診断一体型のプローブを用いたが、治療用プローブのみを用いてもよく、実施例２で、超音波画像を得るために診断用プローブを用いてもよい。治療デバイスを、放射線治療デバイスとすることもできる。
【００６４】
本発明は、操作者２６自身（手技）による治療、あるいは、ロボット・マニピュレータを用いた間接的な治療のいずれにも適用可能である。
【符号の説明】
【００６５】
２  ＭＲＩ装置
６  患者
１０  モニタ
１１  操作者用モニタ
１２  超音波プローブ
１４  位置検出装置
１６  超音波装置
１８  パソコン
２２  ポインタ
２６  操作者
４０  ナビゲーション画像
５０  施術位置
５４  治療対象領域
１３０  穿刺針
【図１】
2010269067.tif 000003
【図２】
2010269067.tif 000004
【図３】
2010269067.tif 000005
【図４】
2010269067.tif 000006
【図５】
2010269067.tif 000007
【図６】
2010269067.tif 000008
【図７】
2010269067.tif 000009
【図８】
2010269067.tif 000010
【図９】
2010269067.tif 000011